(57)【要約】      （修正有）【課題】水を充填する必要がなく、コスト面に優れた保護対象を保護するための保護用シート（堤防決壊防護シート）を提供する。【解決手段】保護用シート１００は、保護対象を保護するために用いる四角形の形状からなり、シートの少なくとも１辺に面ファスナーのループ１０１またはフック１０２を取り付け、複数のシートを面ファスナーにより連結可能にした。【選択図】図１
0003221898.tif 000002
【実用新案登録請求の範囲】
【請求項１】
保護対象を保護するために用いる四角形の形状からなる保護用シートであって、
シートの少なくとも１辺に面ファスナーのループまたはフックを取り付け、
複数のシートを前記面ファスナーにより連結可能にしたことを特徴とする保護用シート。
【請求項２】
請求項１に記載の保護用シートにおいて、
複数のシートを縦方向または横方向の少なくとも一方に連結可能にしたことを特徴とする保護用シート。
【請求項３】
請求項１または２に記載の保護用シートにおいて、
前記シートの表面の１辺に面ファスナーのループを取り付け、
前記シートの表面のループを取り付けた辺に隣り合う辺に面ファスナーのフックを取り付け、
前記シートの裏面の１辺であって、表面に前記ループを取り付けた辺に対向する辺に面ファスナーのフックを取り付け、
前記シートの裏面の１辺であって、表面に前記フックを取り付けた辺に対向する辺に面ファスナーのループを取り付けたことを特徴とする保護用シート。
【請求項４】
請求項１〜３のいずれか一項に記載の保護用シートにおいて、
前記面ファスナーのループは、所定の幅のものが前記シートの辺に沿って取り付けられることを特徴とする保護用シート。
【請求項５】
請求項４に記載の保護用シートにおいて、
前記面ファスナーのループは、前記シートの一辺の端から端までの間に１本のループを取り付けるか、または一辺の端から端までの間に複数のループを所定の間隔をあけて取り付けるかのいずれかの方法で前記シートの辺に沿って取り付けられることを特徴とする保護用シート。
【請求項６】
請求項１〜５のいずれか一項に記載の保護用シートにおいて、
前記面ファスナーのフックは、所定の幅のものが前記シートの辺に沿って取り付けられることを特徴とする保護用シート。
【請求項７】
請求項６に記載の保護用シートにおいて、
前記面ファスナーのフックは、前記シートの一辺の端から端までの間に１本のフックを取り付けるか、または一辺の端から端までの間に複数のフックを所定の間隔をあけて取り付けるかのいずれかの方法で前記シートの辺に沿って取り付けられることを特徴とする保護用シート。
【請求項８】
請求項１〜７のいずれか一項に記載の保護用シートにおいて、
前記表面に取り付けられた面ファスナーのループと他の保護用シートの裏面に取り付けられた面ファスナーのフックとを重ね合わせることにより、複数の保護用シートを連結することができることを特徴とする保護用シート。
【請求項９】
請求項１〜８のいずれか一項に記載の保護用シートにおいて、
前記表面に取り付けられた面ファスナーのフックと他の保護用シートの裏面に取り付けられた面ファスナーのループとを重ね合わせることにより、複数の保護用シートを連結することができることを特徴とする保護用シート。
【請求項１０】
請求項１〜９のいずれか一項に記載の保護用シートにおいて、
前記シートは、防水、防風、防塵の少なくとも一つの効果が見込まれる樹脂製のシートであることを特徴とする保護用シート。
【考案の詳細な説明】
【技術分野】
【０００１】
本考案は、保護用シートに関する。
【背景技術】
【０００２】
次のような堤防決壊防護シートが知られている。従来の堤防決壊防護シートでは、帯状二重シートの周縁が密閉され内部が相互に連通する複数の小部屋によって区画形成されており、この小部屋に水を充填することにより、土嚢を用意しなくてもシートを固定することができるようにしていた。そして、面ファスナーを用いて複数のシートを連結することもできた（例えば、特許文献１）。
【先行技術文献】
【特許文献】
【０００３】
【特許文献１】特開２００６−１６１３６４号公報
【考案の概要】
【考案が解決しようとする課題】
【０００４】
しかしながら、従来の堤防決壊防護シートでは、帯状二重シートの周縁が密閉され内部が相互に連通する複数の小部屋によって区画形成されているため、この複雑な構造のためにコスト面で不利になる可能性があった。また、各小部屋に水が充填されるためシート全体の体積と重量が増し、移動や保管の面で不利になる可能性があった。
【課題を解決するための手段】
【０００５】
本考案による保護用シートは、保護対象を保護するために用いる四角形の形状からなる保護用シートであって、シートの少なくとも１辺に面ファスナーのループまたはフックを取り付け、複数のシートを面ファスナーにより連結可能にしたことを特徴とする。
【考案の効果】
【０００６】
本考案によれば、シートに面ファスナーを取り付ける構造のため、コスト面に優れた保護用シートを提供することができるとともに、従来のように水を充填する必要がないため、運搬や保管もしやすい保護用シートを提供することができる。
【図面の簡単な説明】
【０００７】
【図１】保護用シートの一実施の形態における構造を示した図である。
【図２】保護用シートの横方向への連結例を示した図である。
【図３】保護用シートの縦方向への連結例を示した図である。
【図４】保護用シートの縦方向及び横方向への連結例を示した図である。
【図５】保護用シートの堤防法面への敷設例を模式的に示した図である。
【考案を実施するための形態】
【０００８】
図１は、本実施の形態における保護用シート１００の一実施の形態における構造を示した図である。図１において、図１（Ａ）は保護用シート１００の第一面の構造を示し、図１（Ｂ）は、図１（Ａ）に示した第一面の裏面である第二面の構造を示している。なお、本実施の形態では、説明の便宜上、図１（Ａ）に示した第一面を表面と呼び、図１（Ｂ）に示した第二面を裏面と呼ぶ。また、図１では、表面の辺１ａと裏面の辺１ａが一致し、表面の辺１ｂと裏面の辺１ｂが一致し、表面の辺１ｃと裏面の辺１ｃが一致し、表面の辺１ｄと裏面の辺１ｄが一致する。
【０００９】
本実施の形態における保護用シート１００は、保護対象を保護するために用いる四角形の形状からなる。保護用シート１００は、切土や盛土の施工面や構造物等を風や雨水や降雪から保護するシートである。保護用シート１００は、これらの保護対象を保護するために、防水、防風、防塵などの効果が得られるものが好ましく、本実施の形態では、保護用シート１００に用いるシートとして、一般的にブルーシートと呼ばれている樹脂製のシートを用いることとする。
【００１０】
保護用シート１００には、図１に示すように、シートの少なくとも１辺に面ファスナーのループ１０１またはフック１０２が取り付けられている。この構造により、複数の保護用シート１００を用意し、面ファスナーのフック１０２とループ１０１を重ね合わせて並べれば、複数の保護用シート１００を連結することが可能となっている。なお、図１では、面ファスナーのフックを黒色で示し、面ファスナーのループを白色で示しているが、これは図面上でフックとループを識別するために色分けしたものであり、実際の面ファスナーの色を示すものではない。
【００１１】
図１に示す保護用シート１００では、シートの表面の１辺である辺１ｄに面ファスナーのループ１０１を取り付け、シートの表面のループを取り付けた辺に隣り合う辺１ａに面ファスナーのフック１０２を取り付けている。また、シートの裏面の１辺であって、表面にループ１０１を取り付けた辺１ｄに対向する辺１ｂに面ファスナーのフック１０２を取り付け、シートの裏面の１辺であって、表面にフック１０２を取り付けた辺１ａに対向する辺１ｃに面ファスナーのループ１０１を取り付けている。
【００１２】
なお、図１に示す例では、面ファスナーのループ１０１は、所定の幅のもの、例えば５ｃｍ幅のものが、シートの辺に沿って、一辺の端から端までの間に複数のループ１０１が所定の間隔をあけて取り付けられている。また、面ファスナーのフック１０２は、所定の幅のもの、例えば５ｃｍ幅のものが、シートの辺に沿って、一辺の端から端までの間に複数のフック１０２が所定の間隔をあけて取り付けられている。
【００１３】
保護用シート１００を図１に示すような構造にしたことにより、表面に取り付けられた面ファスナーのループ１０１と他の保護用シートの裏面に取り付けられた面ファスナーのフック１０２とを密着させて重ね合わせることにより、複数の保護用シート１００を連結することができる。また、表面に取り付けられた面ファスナーのフック１０２と他の保護用シートの裏面に取り付けられた面ファスナーのループ１０１とを密着させて重ね合わせることによっても複数の保護用シートを連結することができる。
【００１４】
例えば、図２に示すように、２枚の保護用シート１００を用意して、１枚目のシートの辺１ａと２枚目のシートの辺１ｃとを重ね合わせて、１枚目のシートのフック１０２と２枚目のシートのループ１０１が結合するように２枚のシートを並べれば、２枚の保護用シート１００を横方向に連結することができる。
【００１５】
また、図３に示すように、２枚の保護用シート１００を用意して、１枚目のシートの辺１ｄと２枚目のシートの辺１ｂとを重ね合わせて、１枚目のシートのループ１０１と２枚目のシートのフック１０２が結合するように２枚のシートを並べれば、２枚の保護用シート１００を縦方向に連結することができる。
【００１６】
なお、図２では、２枚目の保護用シート１００を１枚目の保護用シート１００の左に配置する例を示したが、２枚目の保護用シート１００は１枚目の保護用シート１００の右に配置してもよい。また、図３では、２枚目の保護用シート１００を１枚目の保護用シート１００の下に配置する例を示したが、２枚目の保護用シート１００は１枚目の保護用シート１００の上に配置してもよい。
【００１７】
さらに、図２に示した横方向の連結と図３に示した縦方向の連結を組み合わせれば、図４に示すように、縦方向及び横方向に保護用シート１００を連結させて、保護用シート１００による保護範囲を拡大することができる。
【００１８】
本実施の形態における保護用シート１００では、上述したように、面ファスナーを用いて保護用シート１００を縦方向や横方向に連結できるようにしたので、風、雨、雪、埃などの侵入を抑止して保護成果を高めると共に、保護用シートのズレや飛散を防止することができる。
【００１９】
従来の保護用シートの使用方法としては、例えば樹脂製のブルーシートを切土や盛土の施工面、構造物に重ね合わせて敷設し、シートの上に土嚢を配置して、その重さによりシートを抑えて養生していた。また、構造物等の養生囲いは、単管や枠組み足場にひもでシートを連結させていた。このような従来の方法では、シートの固定が十分でない場合は、シート内へ風、雨、雪、埃が侵入したり、風によってシートが飛ばされてしまうという問題が発生していた。
【００２０】
これに対して、本実施の形態における保護用シート１００は、上述したように、面ファスナーを用いて互いにつなぎ合わせることができるため、連結面においてシート同士が密着することから、風、雨、雪、埃の侵入を防ぐ効果を高めると共に、シートがズレたり風で飛ばされたりすることを防止することができる。また、構造物に対してロープ等で連結したり、土嚢で押さえたりするための作業が必要なくなるため、安全性や作業効率性を上げることができる。
【００２１】
以下、本実施の形態における保護用シート１００の使用例として、堤防の法面を保護するために、複数枚の保護用シート１００を連結して法面に敷設する場合の方法について説明する。なお、以下に説明する方法は一例であって、保護用シート１００の使用方法や敷設の仕方はこれに限定されるものではない。
【００２２】
保護用シート１００の横方向の連結枚数が２枚以下であり、縦方向に複数枚連結する場合は、事前に平坦地で面ファスナーによりつなぎ合わせを行っておくことが好ましい。このとき、横方向の保護用シート１００の重ね合わせは、上側に重なるシートが法面の上方向に位置するようにつなぎ合わせることが好ましい。また、保護用シート１００の横方向の連結枚数が３枚以上であり、縦方向に複数枚連結する場合は、事前に縦方向のシートを平坦地で面ファスナーによりつなぎ合わせを行っておけばよい。作業者は、つなぎ合わせた保護用シート１００を丸めて敷設現場に運搬する。
【００２３】
保護用シート１００を堤防の法面に敷設するに当たっては、図５に示すように、保護用シート１００の上部５０ｃｍほどを法頭に敷設し、保護用シート１００の上端部を法頭にアンカーピンなどの固定部材５ａを用いて固定する。固定部材５ａは、例えば、３ｍ以上５ｍ以内に１本の間隔で法頭に設置すればよい。なお、図５は、保護用シート１００を敷設した堤防の断面を模式的に表した図である。図５においては、法面と保護用シート１００の間に隙間が表示されているが、これは法面と保護用シート１００の位置関係を明確に表すためのもので、実際の敷設時には法面と保護用シート１００は密着する。
【００２４】
法面への保護用シート１００の敷設は、シートを上方より下方へスライド下降させ、縦方向の面ファスナーを接合させながら行う。保護用シート１００の側端部の固定にも上端部と同様にアンカーピンなどを用いればよく、側端部を固定するアンカーピンは、現場状況により配置を定めればよい。また、必要応じて保護用シート１００の下端部もアンカーピンで固定してもよい。このように、面シートでつなぎ合わせた保護用シート１００を法面に敷設して各端部を固定すれば、保護用シート１００を用いて堤防の法面を保護することができる。
【００２５】
以上説明した本実施の形態によれば、以下のような作用効果を得ることができる。
（１）保護用シート１００は、保護対象を保護するために用いる四角形の形状からなり、シートの少なくとも１辺に面ファスナーのループまたはフックを取り付け、複数のシートを面ファスナーにより連結可能できるようにした。そして、保護用シート１００においては、シートの表面の１辺に面ファスナーのループを取り付け、シートの表面のループを取り付けた辺に隣り合う辺に面ファスナーのフックを取り付け、シートの裏面の１辺であって、表面にループを取り付けた辺に対向する辺に面ファスナーのフックを取り付け、シートの裏面の１辺であって、表面にフックを取り付けた辺に対向する辺に面ファスナーのループを取り付けた。これによって、面ファスナーのフックとループを重ね合わせて複数の保護用シート１００を連結することができる。また、面ファスナーによりシートの重ね合わせ部が密着するため、高い遮断性によって内部への水や埃の侵入を防ぐことができる。また、複数枚を連結させることにより、１枚ずつ敷設した場合と比較してシートの飛散防止効果を高めることができる。さらに、養生作業を簡素化することができ、人数を削減できることで作業員不足対策にも貢献することができる。
【００２６】
また、シート敷設のための作業員数を削減することができるためコスト削減を図ることができる。シート固定のための土嚢を必要としないためコスト削減を図ることができる。さらに、シートのずれや飛散を防止することができるため、点検、補修作業が減少し、これによってもコスト削減を図ることができる。
【００２７】
また、斜面やシート上での作業を削減することができるため、作業員による作業の安全性を高めることができる。シート固定のためにロープや土のう袋を使用しないため、廃材が出ず、環境にも配慮することができる。
【００２８】
（２）面ファスナーのループは、所定の幅のものがシートの辺に沿って取り付けられるようにし、面ファスナーのフックは、所定の幅のものがシートの辺に沿って取り付けられるようにした。また、面ファスナーのループは、一辺の端から端までの間に複数のループを所定の間隔をあけて取り付けるようにし、面ファスナーのフックも一辺の端から端までの間に複数のフックを所定の間隔をあけて取り付けるようにした。これによって、２枚のシートの辺同士を重ねてループとフックを結合させることにより、２枚のシートを連結することができる。また、シートは重ね合わせ方向を自在に変えることが出来るため、布設箇所の状況に合わせた対応が可能となる。
【００２９】
（３）保護用シート１００は、防水、防風、防塵の少なくとも一つの効果が見込まれる樹脂製のシートとした。これによって、水、風、埃の侵入を防ぎ、保護対象を雨、風、雪、埃などから保護することができる。
【００３０】
―変形例―
なお、上述した実施の形態の保護用シートは、以下のように変形することもできる。
（１）上述した実施の形態では、保護用シート１００に用いるシートとして、一般的にブルーシートと呼ばれている樹脂製のシートを用いる例について説明した。しかしながら、保護用シート１００に用いるシートは樹脂製のブルーシートに限定されず、保護対象や保護目的によってシートの材質等を変えてもよい。例えば、防水、防風、防塵の全ての効果が得られなくても、目的に沿って、これらのうちの少なくとも一つの効果が見込まれるシートを用いてもよい。
【００３１】
（２）上述した実施の形態では、面ファスナーのループ１０１は、シートの一辺の端から端までの間に複数のループ１０１を所定の間隔をあけて取り付る例について説明した。しかしながら、シートの一辺の端から端までの間に１本のループ１０１を取り付けるようにしてもよい。
【００３２】
（３）上述した実施の形態では、面ファスナーのフック１０２は、シートの一辺の端から端までの間に複数のフック１０２を所定の間隔をあけて取り付る例について説明した。しかしながら、シートの一辺の端から端までの間に１本のフック１０２を取り付けるようにしてもよい。
【００３３】
（４）上述した実施の形態では、シートの表面の１辺である辺１ｄに面ファスナーのループ１０１を取り付け、シートの表面のループを取り付けた辺に隣り合う辺１ａに面ファスナーのフック１０２が取り付けるようにした。また、シートの裏面の１辺であって、表面にループ１０１を取り付けた辺１ｄに対向する辺１ｂに面ファスナーのフック１０２を取り付け、シートの裏面の１辺であって、表面にフック１０２を取り付けた辺１ａに対向する辺１ｃに面ファスナーのループ１０１を取り付けるようにした。しかしながら、保護用シート１００は、保護対象を保護するために用いる四角形の形状からなり、シートの少なくとも１辺に面ファスナーのループまたはフックを取り付け、複数のシートを面ファスナーにより連結可能にした構造であれば、ループ１０１やフック１０２を取り付ける辺は図１に示した例に限定されない。すなわち、複数のシートを縦方向または横方向の少なくとも一方に連結可能とした構造であれば、保護用シート１００の構造は図１に示した例に限定されない。
【００３４】
（５）上述した実施の形態では、保護用シート１００を用いて堤防の法面を保護する場合について説明した。しかしながら、保護用シート１００は、保護用シートによる保護を必要とする場所や物であれば、その保護対象は法面に限定されない。例えば、土工における掘削面の保護に用いたり、構造物の養生囲い等の全般に適用可能である。特に、風雨や風雪等の厳しい環境下において、保護用シート１００は高い効果を発揮する。
【００３５】
なお、本考案の特徴的な機能を損なわない限り、本考案は、上述した実施の形態における構成に何ら限定されない。
【符号の説明】
【００３６】
１００  保護用シート
１０１  面ファスナーのループ
１０２  面ファスナーのフック
【図１】
0003221898.tif 000003
【図２】
0003221898.tif 000004
【図３】
0003221898.tif 000005
【図４】
0003221898.tif 000006
【図５】
0003221898.tif 000007
【手続補正書】
【提出日】平成31年4月16日(2019.4.16)
【手続補正１】
【補正対象書類名】実用新案登録請求の範囲
【補正対象項目名】請求項８
【補正方法】変更
【補正の内容】
【請求項８】
請求項１〜７のいずれか一項に記載の保護用シートにおいて、
前記シートの表面に取り付けられた面ファスナーのループと他の保護用シートの裏面に取り付けられた面ファスナーのフックとを重ね合わせることにより、複数の保護用シートを連結することができることを特徴とする保護用シート。
【手続補正２】
【補正対象書類名】実用新案登録請求の範囲
【補正対象項目名】請求項９
【補正方法】変更
【補正の内容】
【請求項９】
請求項１〜８のいずれか一項に記載の保護用シートにおいて、
前記シートの表面に取り付けられた面ファスナーのフックと他の保護用シートの裏面に取り付けられた面ファスナーのループとを重ね合わせることにより、複数の保護用シートを連結することができることを特徴とする保護用シート。